(57)【要約】【課題】映像機器によって表示される映像の画質を評価し、評価結果によって、表示される映像の画質を補正することができる映像機器の画質補正装置及び方法を提供する。【解決手段】映像機器の画質補正装置は、所定色相に対するサンプルデータ及び映像機器の特性を記憶するメモリ部、前記記憶されたサンプルデータ及び前記映像機器の特性の少なくとも一つによって、前記映像機器に入力された映像の画質を評価する画質評価部、及び前記評価結果によって、前記入力された映像の画質補正を行う画質補正部を含む。【選択図】図２
2007312386.tif 000002
【特許請求の範囲】
【請求項１】
所定色相に対するサンプルデータ及び映像機器の特性を記憶するメモリ部、
前記記憶されたサンプルデータ及び前記映像機器の特性の少なくとも一つによって、前記映像機器に入力された映像の画質を評価する画質評価部、及び
前記評価結果によって、前記入力された映像の画質補正を行う画質補正部、を含む映像機器の画質補正装置。
【請求項２】
前記サンプルデータは、前記入力された映像の所定フレームに含まれた所定の事物又は人物に対する基準色相を含むことを特徴とする、請求項１に記載の映像機器の画質補正装置。
【請求項３】
前記映像機器の特性は、前記映像機器の解像度、色相範囲、階調及び彩度の少なくとも一つを含むことを特徴とする、請求項１に記載の映像機器の画質補正装置。
【請求項４】
前記画質評価部は、前記入力された映像及び前記サンプルデータによって、同一の事物又は人物に対する色相を比較し、前記比較結果による差値を算出することを特徴とする、請求項１に記載の映像機器の画質補正装置。
【請求項５】
前記画質補正部は、前記算出された差値によって、前記入力された映像に含まれた所定の事物又は人物に対する色相を補正することを特徴とする、請求項４に記載の映像機器の画質補正装置。
【請求項６】
前記画質評価部は、前記入力された映像の特性を分析して前記映像機器の特性と比較し、前記比較結果による差値を算出することを特徴とする、請求項１に記載の映像機器の画質補正装置。
【請求項７】
前記画質補正部は、前記算出された差値によって、前記入力された映像の特性を補正することを特徴とする、請求項６に記載の映像機器の画質補正装置。
【請求項８】
少なくとも前記映像機器が位置する場所の外部光の強度を感知する感知部をさらに含むことを特徴とする、請求項１に記載の映像機器の画質補正装置。
【請求項９】
前記画質評価部は、前記感知された外部光の強度によって、前記メモリ部に記憶された前記サンプルデータ及び前記映像機器の特性の少なくとも一つを変更することを特徴とする、請求項８に記載の映像機器の画質補正装置。
【請求項１０】
前記画質評価部は、前記変更されたサンプルデータ及び前記変更された映像機器の特性の少なくとも一つによって、前記入力された映像の画質を評価することを特徴とする、請求項９に記載の映像機器の画質補正装置。
【請求項１１】
所定色相に対するサンプルデータ及び映像機器の特性を記憶する段階、
前記記憶されたサンプルデータ及び前記映像機器の特性の少なくとも一つによって、前記映像機器に入力された映像の画質を評価する段階、及び
前記評価結果によって、前記入力された映像の画質補正を行う段階、を含む映像機器の画質補正方法。
【請求項１２】
前記サンプルデータは、前記入力された映像の所定フレームに含まれた所定の事物又は人物に対する基準色相を含むことを特徴とする、請求項１１に記載の映像機器の画質補正方法。
【請求項１３】
前記映像機器の特性は、前記映像機器の解像度、色相範囲、階調及び彩度の少なくとも一つを含むことを特徴とする、請求項１１に記載の映像機器の画質補正方法。
【請求項１４】
前記画質を評価する段階は、
前記入力された映像及び前記サンプルデータによって、同一の事物又は人物に対する色相を比較する段階、及び
前記比較結果による差値を算出する段階、を含むことを特徴とする、請求項１１に記載の映像機器の画質補正方法。
【請求項１５】
前記画質を補正する段階は、前記算出された差値によって、前記入力された映像に含まれた所定の事物又は人物に対する色相を補正する段階を含むことを特徴とする、請求項１４に記載の映像機器の画質補正方法。
【請求項１６】
前記画質を評価する段階は、
前記入力された映像の特性を分析して前記映像機器の特性と比較する段階、及び
前記比較結果による差値を算出する段階、を含むことを特徴とする、請求項１１に記載の映像機器の画質補正方法。
【請求項１７】
前記画質を補正する段階は、前記算出された差値によって、前記入力された映像の特性を補正する段階を含むことを特徴とする、請求項１６に記載の映像機器の画質補正方法。
【請求項１８】
少なくとも前記映像機器が位置する場所の外部光の強度を感知する段階をさらに含むことを特徴とする、請求項１１に記載の映像機器の画質補正方法。
【請求項１９】
前記画質を評価する段階は、前記感知された外部光の強度によって、前記記憶された前記サンプルデータ及び前記映像機器の特性の少なくとも一つを変更する段階を含むことを特徴とする、請求項１８に記載の映像機器の画質補正方法。
【請求項２０】
前記画質を評価する段階は、前記変更されたサンプルデータ及び前記変更された映像機器の特性の少なくとも一つによって、前記入力された映像の画質を評価する段階を含むことを特徴とする、請求項１９に記載の映像機器の画質補正方法。
【請求項２１】
請求項１１項に記載の方法を行うためのコンピューターに読み込むことができるプログラムを記録した媒体。
【請求項２２】
所定色相に対するサンプルデータおよび映像機器の特性のうち少なくとも一つによって前記映像機器に入力される画質を評価する画質評価部、および
前記評価の結果によって前記入力された映像の画質補正を行う画質補正部を含む映像機器の画質補正装置。
【請求項２３】
少なくとも前記映像機器が位置する場所の外部光の輝度を感知する感知部をさらに含む請求項２２に記載の映像機器の画質補正装置。
【請求項２４】
前記画質評価部は、前記感知された外部光の輝度によって前記サンプルデータおよび前記映像機器の特性のうち少なくとも一つを変更する請求項２３に記載の映像機器の画質補正装置。
【発明の詳細な説明】
【技術分野】
【０００１】
本発明は映像機器の画質補正装置及び方法に係り、より詳しくは映像機器によって表示される映像の画質を評価し、評価結果によって、表示される映像の画質を補正することができる映像機器の画質補正装置及び方法に関するものである。
【背景技術】
【０００２】
一般に、映像の画質に対する評価は、映像の画質を評価する評価者らの主観的な評価によってなされており、このような映像の画質評価には基準となる映像が使われている。
【０００３】
基準となる映像を使う画質評価は、評価者らが基準となる映像と評価しようとする映像を比較し、評価しようとする映像にそれなりの点数を賦課するから、主観的な評価と呼ばれる。
【０００４】
このような基準となる映像を使う画質評価は、人間の知覚力を反映したもので、評価をするのに多数の使用者が要求されて時間が多く必要になるため、実時間評価が難しくて、評価費用が増加する。よって、最近には、評価時間及び評価費の用減少のために、評価しようとするソース映像と比較対象となる評価映像によって画質を評価する方法が使われている。
【０００５】
図１は従来技術による映像機器の画質補正装置を示す図である。
図示のように、従来技術による映像機器の画質補正装置１０は、評価しようとするソース映像が入力されるソース映像入力部１１、比較対象となる評価映像が入力される評価映像入力部１２、ソース映像と評価映像を比較してソース映像の画質を評価する画質評価部１３、評価結果によって、ソース映像の補正に必要な特徴を抽出する補正特徴抽出部１４、及び補正特徴抽出部１４の出力である補正特徴ベクターを使って補正値を算出する予測値補正部１５を含む。
【０００６】
このように、評価しようとするソース映像と比較対象となる評価映像を比較して画質を評価し、それによる補正値を算出することで、主観的な評価値だけでなく、実時間で決まった手順にしたがって客観的な評価を実行する。
【０００７】
しかし、前述した図１の映像機器の画質補正装置は、評価しようとする映像とともに比較対象となる映像を使うから、比較対象となる映像の処理のための構成がさらに要求されるため、画質評価及び画質補正のための必要費用が増加し、画質評価及び画質補正のための処理過程が複雑になる問題点がある。
【０００８】
特許文献１は、ソース映像と評価映像を利用して画質を評価し、各映像で視空間周波数の各領域別エネルギー、ブロッキング程度、エッジ情報、色相情報又はこれらの組合せである補正特徴ベクターを抽出して予測値を補正する動画画質評価システムを開示しているが、これは実時間で評価を実施して、決まった基準によって客観的な評価を行うことができるものに関するもので、ソース映像の比較対象となる評価映像の処理のための処理過程が複雑になり、これによる所要費用増加を解決することができる方策は提案されていない。
【特許文献１】大韓民国公開特許第２００５−００２４０９８号公報
【発明の開示】
【発明が解決しようとする課題】
【０００９】
そこで、本発明は、入力された映像の比較対象となる映像を使わないで、入力された映像の画質を評価及び補正することができる映像機器の画質補正装置及び方法を提供することにその目的がある。
【００１０】
本発明の目的は以上に述べた目的に限定されなく、述べなかった他の目的は、下記の記載から当業者に明確に理解できるであろう。
【課題を解決するための手段】
【００１１】
前記目的を達成するために、本発明の実施例による映像機器の画質補正装置は、所定色相に対するサンプルデータ及び映像機器の特性を記憶するメモリ部、前記記憶されたサンプルデータ及び前記映像機器の特性の少なくとも一つによって、前記映像機器に入力された映像の画質を評価する画質評価部、及び前記評価結果によって、前記入力された映像の画質補正を行う画質補正部を含む。
【００１２】
また、前記目的を達成するために、本発明の実施例による映像機器の画質補正方法は、所定色相に対するサンプルデータ及び映像機器の特性を記憶する段階、前記記憶されたサンプルデータ及び前記映像機器の特性の少なくとも一つによって、前記映像機器に入力された映像の画質を評価する段階、及び前記評価結果によって、前記入力された映像の画質補正を行う段階を含む。
【００１３】
その他の実施例の具体的な事項は詳細な説明及び図面に開示する。
【００１４】
本発明の利点及び特徴、そしてそれらを達成する方法は、添付図面に基づいて詳細に後述する実施例を参照することにより明らかになるであろう。しかし、発明は以下に開示する実施例に限定されるものではなく、相違なる多様な形態に具現することができるもので、本実施例は本発明の開示を明確にし、本発明が属する技術分野で通常の知識を持った者に発明の範疇を完全に知らせるために提供するものであり、本発明は請求項の範疇によって定義されるばかりである。明細書全般にわたって同一の参照符号は同一構成要素を示すものである。
【発明の効果】
【００１５】
前記のような本発明の映像機器の画質補正装置及び方法によれば、入力された映像の画質を評価するために、比較対象となる映像を使わないで、所定の画質評価項目及び映像機器の特性によって、入力された映像単独で画質を評価し、評価結果によって画質を補正することができるので、画質評価及び補正のための構成及び過程が簡素化することができる効果がある。
【発明を実施するための最良の形態】
【００１６】
以下、本発明の実施例によって映像機器の画質補正装置及び方法を説明するためのブロック図又は処理フローチャートを参照して本発明について説明する。ここで、処理フローチャートの各ブロックとフローチャートの組合せはコンピュータープログラムインストラクションによって実行することが可能なことが理解できるであろう。これらコンピュータープログラムインストラクションは汎用コンピューター、特殊用コンピューター又はその他のプログラム可能なデータプロセッシング装備のプロセッサに搭載されることができるので、コンピューター又はその他のプログラム可能なデータプロセッシング装備のプロセッサによって行われるそのインストラクションがフローチャートのブロックで説明された機能を行う手段を生成する。これらコンピュータープログラムインストラクションは、特定方式で機能を具現するために、コンピューター又はその他のプログラム可能なデータプロセッシング装備を指向することができるコンピューター可用又はコンピューター可読のメモリに記憶されることもできるので、そのコンピューター可用又はコンピューター可読メモリに記憶されたインストラクションは、フローチャートのブロックで説明された機能を行うインストラクション手段を含む製造品目を生産することも可能である。コンピュータープログラムインストラクションはコンピューター又はその他のプログラム可能なデータプロセッシング装備上に搭載されることも可能であるので、コンピューター又はその他のプログラム可能なデータプロセッシング装備上で一連の動作段階が実行されて、コンピューターによって実行されるプロセスを生成してコンピューター又はその他のプログラム可能なデータプロセッシング装備を実行するインストラクションはフローチャートのブロックで説明された機能を行うための段階を提供することも可能である。
【００１７】
また、各ブロックは、特定の論理的機能を行うための一つ以上の実行可能なインストラクションを含むモジュール、セグメント又はコードの一部を表すことができる。また、いくつかの代替実施例においては、ブロックで述べられた機能が手順に反して発生することも可能であることに注目しなければならない。例えば、連続して示されている二つのブロックは実質的に同時に行われることもでき、あるいはそのブロックが場合によっては該当機能によって逆順に行われることもできる。
【００１８】
図２は本発明の実施例による映像機器の画質補正装置を示す図である。
図示のように、本発明の第１実施例による映像機器の画質補正装置１００は、メモリ部１１０、画質評価部１２０、画質補正部１３０、及びディスプレイ部１４０を含むことができる。
【００１９】
本発明の実施例において、映像機器は、デジタルＴＶなどのように、映像を表示することができるモジュールを搭載した装置と理解することができる。よって、本発明の実施例において、映像機器は、ＴＶだけでなく、映像を表示することができるモジュールを搭載したＰＤＡ（パーソナルデジタルアシスタント）、セットトップボックス、及び携帯電話なども含むことができる。
【００２０】
メモリ部１１０は、所定事物に対して主観的に認知することができる色相を含むサンプルデータ、及び映像機器から支援する特性などを記憶することができる。
【００２１】
本発明の実施例において、サンプルデータ及び映像機器の特性がみんなメモリ部１１０に記憶された場合を例として説明しているが、これに限定されなく、サンプルデータ及び映像機器の特性がそれぞれ別に構成された構成要素に記憶されることもできる。
【００２２】
この際、サンプルデータは、所定の事物又は人物に対して主観的に認知することができる色相、例えば空の色相、果物の色相、木の色相、山の色相、及び肌色相、髪の毛色相などに対する基準色相を含むことができる。また、サンプルデータは前述した例に限定されないで、多様な事物及び人物に対して主観的に認知できる色相を含むことができる。
【００２３】
また、映像機器の特性は、映像機器の規格によって映像機器が支援することができる解像度（Ｒｅｓｏｌｕｔｉｏｎ）、色相範囲（Ｃｏｌｏｒ  Ｇａｍｕｔ）、ガンマ（Ｇａｍｍａ）、及び彩度などを含むことができるが、これらに限定されない。
【００２４】
画質評価部１２０は、映像機器に入力される映像を分析することができ、分析結果をメモリ部１１０に記憶されたサンプルデータ及び映像機器の特性の少なくとも一つと比較して、入力された映像に対する画質を評価することができる。
【００２５】
具体的に、画質評価部１２０は、入力された映像の所定フレームに含まれた事物又は人物の色相を、前述したメモリ部１１０に記憶された記憶色又は選好色などのようなサンプルデータから抽出された同一の事物又は人物に対する基準色相と比較することができる。この際、画質評価部１２０は、メモリ部１１０に記憶されたサンプルデータにディスプレイ色表現力などのような特性値を適用して色補正を実行した後、所定の事物又は人物に対する色相を比較して、その差値を算出することができ、算出された差値の大きさによって、入力された映像の画質を評価することができる。例えば、画質評価部１２０は、入力された映像の所定フレームに木が含まれている場合、メモリ部１１０に記憶されたサンプルデータから、木に対する基準色相を抽出することができ、抽出された基準色相を所定フレームに含まれた木の色相と比較することができる。
【００２６】
また、画質評価部１２０は、映像が表示される映像機器の特性に基づいて、生成された最適画質特性値と入力された映像の特性から算出された画質特性値を比較してその差値を算出することができ、算出された差値によって、入力された映像の画質を評価することができる。例えば、映像機器が支援する解像度範囲での最適特性値が第１解像度で、入力された映像の解像度が第２解像度である時、画質評価部１２０は各解像度を比較してその差値を算出することができる。
【００２７】
画質補正部１３０は、前述した画質評価部１２０によってメモリ部１１０に記憶されたサンプルデータ及び映像機器の特性の少なくとも一つによって、入力された映像の画質の評価が完了すれば、画質評価による差値によって、入力された映像の画質を補正することができる。具体的に、画質補正部１３０は、画質評価部１２０の画質評価結果、算出された差値だけ、入力された映像を補正して、入力された映像に含まれた所定の事物又は人物の色相をメモリ部１１０に記憶されたサンプルデータの基準色相に補正し、映像機器の特性に合うように入力された映像の特性を補正することができる。
【００２８】
ディスプレイ部１４０は、画質補正部１３０によって補正された画質を有する映像を表示することができる。
【００２９】
図３は本発明の第２実施例による映像機器の画質補正装置を示す図である。
図示のように、本発明の第２実施例による映像機器の画質補正装置１００は、前述した図１において、映像機器が位置する場所での外部光の強度を感知する感知部１５０をさらに含むことができる。この際、図２において、外部光の強度を感知する感知部１５０が付け加えられたことは、同じ画質であっても映像機器が位置する場所での外部光の強度が変わる場合、主観的に感じる画質に差が発生することができるからである。
【００３０】
したがって、画質評価部１２０は、感知部１５０によって感知された外部光の強度によって、メモリ部１１０に記憶されたサンプルデータに含まれた基準色相及び映像機器の特性を変更することができる。
【００３１】
例えば、画質評価部１２０は、映像機器が位置する場所の外部光の強度が相対的に大きい場合、入力された映像の所定フレームに含まれた所定の事物又は人物の色相がメモリ部１１０に記憶されたサンプルデータの基準色相と同一である場合にも、外部光によって主観的に感じる色相が自然でない場合が発生することができるから、感知された外部光の強度に基づいて、サンプルデータに含まれた基準色相を変更して、入力された映像の所定フレームに含まれた事物又は人物の色相を評価することができる。
【００３２】
また、画質評価部１２０は、映像機器が位置する場所の外部光の強度が相対的に小さい場合にも、前述した外部光の強度が相対的に大きい場合と同様に、外部光によって、主観的に感じる色相が自然でない場合が発生することができるから、感知された外部光に基づいて、サンプルデータに含まれた基準色相を変更して、入力された映像の所定フレームに含まれた事物又は人物の色相を評価することができる。
【００３３】
一方、画質評価部１２０は、サンプルデータの基準色相だけでなく、映像機器の特成も感知部１５０で感知された外部光の強度によって変更することができる。例えば、画質評価部１２０は、映像機器が位置する場所の外部光の強度が相対的に大きいか小さい場合、映像機器で支援する明暗と入力された映像の明暗が同一である場合にも、主観的に感じる明暗が自然でない場合が発生するから、メモリ部１１０に記憶された映像機器の特性及び感知部１５０で感知された外部光の強度によって、入力された映像の画質を評価することができる。
【００３４】
この際、図３においては、映像機器が位置する場所の外部光の強度によって画質を評価する場合を例として説明しているが、これは本発明の理解を助けるための一例に過ぎないもので、これに限定されなく、映像機器が位置する場所の周辺環境（例えば、周辺環境の色相など）とともにメモリ部１１０に記憶されたサンプルデータ及び映像機器の特性によって、入力された映像の特性を評価することができる。
【００３５】
図４は本発明の第１実施例による映像機器の画質補正方法を示す図である。この際、図４は前述した図１の映像機器の画質補正装置を使って映像機器の画質を補正する方法と理解することができる。
図示のように、本発明の第１実施例による映像機器の画質補正方法は、まず、所定映像が入力されれば、画質評価部１２０は、入力された映像を分析する（Ｓ１１０）。この際、本発明の実施例においては、画質評価部１２０は、メモリ部１１０に記憶されたサンプルデータに含まれた基準色相及び映像機器の特性によって、入力された映像の画質を評価しているので、入力された映像から色相及び特性などを分析することができるが、これに限定されない。
【００３６】
画質評価部１２０は、分析結果をメモリ部１１０に記憶されたサンプルデータ及び映像機器の特性と比較して、その差値を算出する（Ｓ１２０）。言い替えれば、画質評価部１２０は、サンプルデータに含まれた基準色相と入力された映像の色相を比較して差値を算出し、入力された映像の特性と映像機器の特性を比較して差値を算出することができる。この際、本発明の実施例においては、画質評価部１２０が、サンプルデータ及び映像機器特性によって、入力された映像との差値を算出する場合を例として説明しているが、これは本発明の理解を助けるためのものに過ぎないもので、サンプルデータ及び映像機器の特性の少なくとも一つによって差値を算出することができる。
【００３７】
画質補正部１３０は、画質評価部１２０によって算出された差値によって、入力された映像の補正を実行する（Ｓ１３０）。この際、画質補正部１３０によって行われる補正は、前述したＳ１２０段階で算出された差値だけ、入力された映像を補正することと理解することができる。
【００３８】
ディスプレイ部１４０は、画質補正部１３０で補正された画質を有する映像を表示する（Ｓ１４０）。
【００３９】
図５は本発明の第２実施例による映像機器の画質補正方法を示す図である。この際、図４は前述した図２の映像機器の画質補正装置を使って映像機器の画質を補正する方法と理解することができる。言い替えれば、図４は、前述した図３の方法において、映像機器が位置する場所の外部光の強度を考慮した場合の例として理解することができる。
【００４０】
図示のように、本発明の第２実施例による映像機器の画質補正方法は、まず、感知部１５０は、映像機器が位置する場所の外部光の強度を感知する（Ｓ２１０）。この際、感知部１５０は、映像機器と一体型に構成されることもでき、別に構成され、所定のインターフェースケーブルを通じて、映像機器に感知された外部光の強度を伝達することもできる。また、このような感知部１５０としては、外部光の強度によって相違なる大きさの信号を発生するフォトダイオード、フォトトランジスタ及び光導電素子などの光センサーからなった場合を例として説明する。
【００４１】
このように、映像機器が位置する場所の外部光を感知することは、前述したように、同じ画質であっても、映像機器が位置する場所での外部光の強度が変わる場合、主観的に感じる画質に差が発生することができるからである。
【００４２】
画質評価部１２０は、所定映像が入力されれば、入力された映像を分析する（Ｓ２２０）。この際、本発明の実施例においては、画質評価部１２０は、メモリ部１１０に記憶されたサンプルデータに含まれた基準色相及び映像機器の特性によって、入力された映像の画質を評価しているので、入力された映像から色相及び特性などを分析することができるが、これに限定されない。
【００４３】
画質評価部１２０は、感知部１５０によって感知された外部光を考慮して、前述したＳ２２０段階の分析結果を、メモリ部１１０に記憶されたサンプルデータ及び映像機器の特性と比較して、その差値を算出する（Ｓ２３０）。例えば、画質評価部１２０は、感知された外部光によってサンプルデータの基準色相を変更するか又は映像機器の特性を変更し、これを入力された映像と比較して、差値を算出することができる。本発明の実施例においては、感知された外部光の強度によってサンプルデータの基準色相を変更するか又は映像機器の特性を変更する場合を例として説明しているが、これに限定されなく、入力された映像から分析された結果を変更することもできる。
【００４４】
また、本発明の実施例においては、画質評価部１２０がサンプルデータ及び映像機器特性によって、入力された映像との差値を算出する場合に一緒に使用する場合を例として説明しているが、これは本発明の理解を助けるためのものに過ぎないもので、サンプルデータ及び映像機器の特性の少なくとも一つによって差値を算出することができる。
【００４５】
画質補正部１３０は、画質評価部１２０によって算出された差値によって、入力された映像の補正を実行する（Ｓ２４０）。この際、画質補正部１３０によって行われる補正は、前述したＳ１２０段階で算出された差値だけ、入力された映像を補正することと理解することができる。
【００４６】
ディスプレイ部１４０は、画質補正部１３０で補正された画質を有する映像を表示する（Ｓ２５０）。
【００４７】
本発明の実施例で使われる用語のうち、‘部’はソフトウェア又はＦｉｅｌｄ  Ｐｒｏｇｒａｍｍａｂｌｅ  Ｇａｔｅ  Ａｒｒａｙ（ＦＰＧＡ）又は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、‘部’はある役目をする。しかし、‘部’はソフトウェア又はハードウェアに限定される意味ではない。‘部’はアドレッシング可能な記憶媒体にあるように構成することもでき、一つ又はそれ以上のプロセッサを実行させるように構成することもできる。したがって、一例として、‘部’はソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と部から提供される機能はもっと小さな数の構成要素及び部に結合されるか、更なる構成要素と部にさらに分離されることができる。
【００４８】
以上のように、本発明による映像機器の画質補正装置及び方法を例示図面に基づいて説明したが、本明細書に開示された実施例と図面によって本発明が限定されなく、本発明の技術思想の範囲内で、当業者によって多様に変形できることは勿論である。
【産業上の利用可能性】
【００４９】
本発明は、入力された映像の比較対象となる映像を使わないで、入力された映像の画質を評価及び補正することができる映像機器の画質補正装置及び方法に適用可能である。
【図面の簡単な説明】
【００５０】
【図１】従来技術による映像機器の画質補正装置を示すブロック図である。
【図２】本発明の第１実施例による映像機器の画質補正装置を示すブロック図である。
【図３】本発明の第２実施例による映像機器の画質補正装置を示すブロック図である。
【図４】本発明の第１実施例による映像機器の画質補正方法を示すフローチャートである。
【図５】本発明の第２実施例による映像機器の画質補正方法を示すフローチャートである。
【符号の説明】
【００５１】
１１０  メモリ部
１２０  画質評価部
１３０  画質補正部
１４０  ディスプレイ部
１５０  感知部
【図１】
2007312386.tif 000003
【図２】
2007312386.tif 000004
【図３】
2007312386.tif 000005
【図４】
2007312386.tif 000006
【図５】
2007312386.tif 000007